(57)【要約】【課題】扉開閉回数を食生活パターンに合わせた形で知ることができて扉開閉を減らす啓蒙が効果的に行え、結果的に省エネルギー性を高めることができる冷蔵庫を提供する。【解決手段】複数の貯蔵室を有する冷蔵庫本体と、前記貯蔵室を開閉する扉と、前記扉の開閉を検出する扉開閉検出手段２５と、前記扉開閉検出手段で検出した扉開閉回数等を表示する扉開閉表示手段４３とを備え、前記扉開閉表示手段は食生活パターに合わせて複数の時間帯に区分けして表示する構成としてある。これにより、使用者は食生活パターに合わせて扉開閉回数等を知ることができ、例えば朝食時間帯の扉開閉回数等を同時間帯の昨日の回数等と比較して扉開閉回数の増減的確に知ることができ、扉開閉回数を少なくしようとする意識が効果的に作用して扉開閉回数等を少なくすることが期待できるようになる。【選択図】図５
2013190130.tif 000002
【特許請求の範囲】
【請求項１】
貯蔵室を有する冷蔵庫本体と、前記貯蔵室を開閉する扉と、前記扉の開閉を検出する扉開閉検出手段と、前記扉開閉検出手段で検出した扉開閉回数あるいは扉開成累計時間を時間帯ごとに区分けする時間帯区分け部と、前記時間帯区分け部で区分けした扉開閉回数あるいは扉開成累計時間を表示する扉開閉表示手段とを備え、前記扉開閉表示手段は前記時間帯区分け部で区分けされた複数の時間帯ごとに区分けして表示する冷蔵庫。
【請求項２】
扉開閉表示手段は１日の中の少なくとも朝食、昼食、夕食、就寝時の時間帯に区分して扉開閉回数あるいは扉開成累計時間を表示する構成とした請求項１記載の冷蔵庫。
【請求項３】
扉開閉表示手段は１日の中の少なくとも昼間と夜間の時間帯に区分けして表示する構成とした請求項１記載の冷蔵庫。
【請求項４】
扉開閉表示手段は就寝時間帯を区分けして表示する構成とした請求項１〜３のいずれか１項記載の冷蔵庫。
【請求項５】
前日の扉開閉回数あるいは扉開成累計時間を保持する前日データ保持部を備え、扉開閉表示手段は少なくとも前日と当日の扉開閉回数あるいは扉開成累計時間を併せて表示する構成とした請求項１から４のいずれか１項記載の冷蔵庫。
【請求項６】
扉開閉検出手段で検出した扉開閉回数あるいは扉開成累計時間を出力する出力部を、携帯電話等の表示部を備えた携帯端末と近距離データ通信可能なデータ送信部で構成するとともに、携帯端末の表示部を扉開閉表示手段とした請求項１〜５のいずれか１項記載の冷蔵庫。
【請求項７】
携帯端末はインターネット回線と通信可能に構成し、扉開閉回数あるいは扉開成累計時間をインターネット回線に接続されたパーソナルコンピュータ等の端末機に表示させる構成とした請求項６記載の冷蔵庫。
【発明の詳細な説明】
【技術分野】
【０００１】
本発明は省エネルギー性の高い冷蔵庫に関するものである。
【背景技術】
【０００２】
一般に冷蔵庫は家庭の中で占める電力の使用割合が高く、その使用電力を可能な限り抑えることが強く要請されている。そのため、例えば使用者が扉開閉をほとんど行わない夜中等には庫内設定温度を自動的に上げるなどして使用電力量を抑えるようにしたものが提案されている。
【０００３】
また、冷蔵庫の扉開閉によって使用される電力が結構多いため、これを抑えるべく扉の開閉回数や時間等を計測し、この扉開閉回数や時間が所定回数あるいは所定時間以上になると表示装置にその旨を表示したり、警告音を出すように構成し、使用者に扉開閉による電力使用量の増加を知らせて、扉開閉回数を少なくし、電力使用量を抑えるように啓蒙できる構成のものがみられる（例えば、特許文献１参照）。
【０００４】
図８はこの特許文献１に記載された冷蔵庫を示し、扉開閉検出手段１０１で扉１０２の開閉回数を計測し、その扉開閉回数を回数カウント手段１０３でカウントして制御手段１０４がこの回数と扉開閉回数記憶手段１０５に記憶されている設定回数あるいは前日の回数とを比較し、扉開閉回数が記憶回数以上になるとこれを扉１０２に設けた表示装置１０６に表示し、使用者に扉開閉回数が多くなっていることを知らせ、扉開閉回数を少なくするよう啓蒙する構成となっている。
【先行技術文献】
【特許文献】
【０００５】
【特許文献１】特開２００２−１４７９３０号公報
【発明の概要】
【発明が解決しようとする課題】
【０００６】
しかしながら、前記従来の扉開閉に伴う電力消費を抑えるようにしたものは、扉開閉回数が所定回数以上になると初めてこれを知らせて扉開閉の低減を促すため、その報知が行われるまで使用者は扉開閉回数がどの程度になっているかを知ることができず、扉開閉回数を少なくして節電しようとする気持ちが起きなく、その点で節電啓蒙効果に今一歩の課題があった。
【０００７】
ところが、最近、原子力発電の安全性が見直され始め、その結果、原子力発電所を停止する等による電力不足が生じ、使用者の冷蔵庫をはじめとする各種機器の使用の方法に気を使って節電する意識が高まり、冷蔵庫においても前記したような節電啓蒙報知が出る前に扉開閉回数を少なくしようとする意識が芽生え始めている。
【０００８】
しかしながら、使用者としては扉開閉を朝からどの程度行ったのかや、本日の扉開閉回数や扉開成累計時間がいつもと比較して多いのか少ないのかがわかりづらく、感に頼るような結果となっているため、節電意識があっても扉開閉回数や扉開成累計時間を少なくして節電を図ることが意外とできないという課題があった。
【０００９】
また、これを解決するために冷蔵庫に設けてある表示装置１０６に扉開閉回数や扉開成累計時間等のデータを常時表示させることが考えられるが、このような構成としても使用者の立場から考えると、上記表示される扉開閉回数が朝からの累計のため、この回数が例
えば昼食準備のための時間帯として多いのか少ないのかが判別できず、これまた節電に結びつかない懸念がある。例えば、冷蔵庫の使われ方には食生活パターンと密接な関係があり、朝昼晩の食事時間に応じて扉の開閉が行われるが、一日単位の扉開閉回数の表示ではトータル回数では対比できるものの、具体的な食事時間帯との結びつきの中での扉開閉回数を比較できず、現在のシーンでは扉開閉回数が多いのか少ないのかが判断できず、よって使用者が扉開閉回数を少なくして積極的に節電を行おうとすることに結びつかないと考えられる。
【００１０】
本発明はこのような点に鑑みてなしたもので、扉開閉回数を食生活パターンに合わせた形で知ることができて扉開閉回数を減らす啓蒙が効果的に行え、結果的に省エネルギー性を高めることができる冷蔵庫を提供するものである。
【課題を解決するための手段】
【００１１】
前記従来の課題を解決するために、本発明は、貯蔵室を有する冷蔵庫本体と、前記貯蔵室を開閉する扉と、前記扉の開閉を検出する扉開閉検出手段と、前記扉開閉検出手段で検出した扉開閉回数あるいは扉開成累計時間を時間帯ごとに区分けする時間帯区分け部と、前記時間帯区分け部で区分けした扉開閉回数あるいは扉開成累計時間を表示する扉開閉表示手段とを備え、前記扉開閉表示手段は前記時間帯区分け部で区分けされた複数の時間帯ごとに区分けして表示する構成としてある。
【００１２】
これにより、使用者は食生活パターに合わせて扉開閉回数等を知ることができ、例えば朝食時間帯の扉開閉回数等を同時間帯の昨日の回数等と比較して扉開閉回数の増減を的確に知ることができ、扉開閉回数を少なくしようとする意識が効果的に作用して扉開閉回数等を少なくすることが期待できる。
【発明の効果】
【００１３】
本発明は、使用者が生活パターンに合わせて時間帯ごとに扉開閉回数等を知ることができ、よって扉開閉回数等を少なくしようとする意識が効果的に作用して節電を図ることが期待でき、省エネルギーな冷蔵庫となる。
【図面の簡単な説明】
【００１４】
【図１】本発明の実施の形態１における冷蔵庫の使用状態を示す正面図
【図２】同冷蔵庫の概略断面図
【図３】同冷蔵庫の概略平面断面図
【図４】同冷蔵庫の操作部を示す正面図
【図５】同冷蔵庫の冷蔵庫制御部と携帯端末の携帯制御部を示す制御ブロック図
【図６】同冷蔵庫の冷蔵庫制御部と携帯端末の携帯制御部における動作を説明するフローチャート
【図７】同実施の形態２における冷蔵庫の説明図
【図８】従来の冷蔵庫を示す説明図
【発明を実施するための形態】
【００１５】
第１の発明は、貯蔵室を有する冷蔵庫本体と、前記貯蔵室を開閉する扉と、前記扉の開閉を検出する扉開閉検出手段と、前記扉開閉検出手段で検出した扉開閉回数あるいは扉開成累計時間を時間帯ごとに区分けする時間帯区分け部と、前記時間帯区分け部で区分けした扉開閉回数あるいは扉開成累計時間を表示する扉開閉表示手段とを備え、前記扉開閉表示手段は前記時間帯区分け部で区分けされた複数の時間帯ごとに区分けして表示する構成としてある。これにより、使用者は食生活パターに合わせて扉開閉回数等を正確に知ることができ、例えば朝食時間帯の扉開閉回数等を同時間帯の昨日の回数等と比較して扉開閉回数の増減を的確に知ることができ、扉開閉回数を少なくしようとする意識が効果的に作
用して扉開閉回数等を少なくすることが期待できる。
【００１６】
第２の発明は、前記第１の発明の扉開閉表示手段は１日の中の少なくとも朝食、昼食、夕食、就寝時の時間帯に区分して扉開閉回数あるいは扉開成累計時間を表示する構成としてあり、これによって使用者は各食事準備シーンにおける扉開閉の増減を的確に知ることができ、扉開閉をよく行う時間帯の扉開閉抑制につなげて節電効果をより効果的に発揮させることができる。
【００１７】
第３の発明は、前記第１の発明の扉開閉表示手段は１日の中の少なくとも昼間と夜間の時間帯に区分けして表示する構成としてあり、１日の累計回数等を表示するものに比べ各時間帯における扉開閉累計回数等を的確に知ることができ、節電効果をより効果的に発揮させることができる。
【００１８】
第４の発明は、前記第１から第３の発明の扉開閉表示手段は就寝時間帯を区分けして表示する構成としてあり、就寝中の時間帯に扉開閉が多いなどの分析が可能になり、家族に対する扉開閉回数等の低減喚起が可能になって、より節電効果を高めることができる。
【００１９】
第５の発明は、前記第１から第４の発明において更に前日の扉開閉回数あるいは扉開成累計時間を保持する前日データ保持部を備え、扉開閉表示手段は少なくとも前日と当日の扉開閉回数あるいは扉開成累計時間を併せて表示する構成としてあり、昨日の同一時間帯のデータも表示されるので、使用者の記憶で比較する場合に比べ正確に増減を知らせることができ、より確実に使用者による扉開閉抑制による節電効果を期待することができる。
【００２０】
第６の発明は、前記第１から第５の発明の冷蔵庫本体は扉開閉検出手段で検出した扉開閉回数あるいは扉開成累計時間を出力する出力部を、携帯電話等の表示部を備えた携帯端末と近距離データ通信可能なデータ送信部で構成するとともに、携帯端末の表示部を扉開閉表示手段とした構成としてあり、使用者は携帯電話等の携帯端末をデータ送信部に近づけることによって扉開閉回数等をその携帯端末の表示部に表示させて知ることができ、冷蔵庫側では表示装置を廃止して、扉開閉回数等の表示用電力の使用自体を削減、すなわち冷蔵庫自体の消費電力も抑えることができる。
【００２１】
第７の発明は、第６の発明の携帯端末はインターネット回線と通信可能に構成し、扉開閉回数あるいは扉開成累計時間をインターネット回線に接続されたパーソナルコンピュータ等の端末機に表示させる構成としてあり、例えば会社のパーソナルコンピュータで扉開閉回数等が確認できて、家にいる子供やお爺さん等の家族に連絡し扉開閉を減らすように注意を喚起することもできる。また、常時通信ではなく特定時間帯にまとまった形でデータを送信することになるので、スマートフォン等の普及によりデータ使用量が多くなっている今日にあっても、データ通信量の削減により、通信時間が短縮されて、通信エラー等が生じる恐れを低減でき、信頼性の向上が図れるとともに操作感の向上も可能となる。
【００２２】
以下、本発明の実施の形態について、図面を参照しながら説明する。なお、この実施の形態によって本発明が限定されるものではない。
【００２３】
（実施の形態１）
この実施の形態では、冷蔵庫に扉開閉回数等のデータを送信するデータ送信部を設け、このデータ送信部に携帯電話等の携帯端末を近づけて、当該携帯端末の表示部に扉開閉回数等のデータを表示する構成としたものを例にして説明する。
【００２４】
図１は本発明の実施の形態１における冷蔵庫の使用状態を示す正面図、図２は同冷蔵庫の概略断面図、図３は同冷蔵庫の概略平面断面図、図４は同冷蔵庫の操作部を示す正面図
、図５は同冷蔵庫の冷蔵庫制御部と携帯端末の携帯制御部を示す制御ブロック図、図６は同冷蔵庫制御部と携帯制御部における動作を説明するフローチャートである。
【００２５】
図において、１は冷蔵庫本体で、図２に示すように複数の貯蔵室２，３，４，５，６を備えている。この各貯蔵室は上から冷蔵室２、製氷室３及びその製氷室３の側方に位置する切換室４（冷凍室温度約―１８℃から野菜室温度約６℃まで切替え可能）、冷凍室５、野菜室６となっている。なお、そのレイアウトは必要に応じて適宜設定されるものである。
【００２６】
また、上記冷蔵庫本体１は、主に鋼板を用いた外箱１ａと、ＡＢＳなどの樹脂で成型された内箱１ｂと、外箱１ａと内箱１ｂとの間の空間に充填発泡された硬質ウレタンフォーム１ｃで構成されている。さらに必要に応じて部分的により断熱性能を高めるために真空断熱材１ｄを硬質ウレタンフォーム内に埋設して構成してある。例えば、図２に示すように、製氷室３と切換室４および冷凍室５に対応する背面部の空間内に真空断熱材１ｄを貼り付け、硬質ウレタンフォーム１ｃとの複合体としてある。
【００２７】
また冷蔵庫本体１の天面部は冷蔵庫の背面方向に向かって階段状に凹みを設けた形状とし、この階段状の凹部に機械室７を形成して、当該機械室７に、圧縮機８、水分除去を行うドライヤ（図示せず）等の冷凍サイクルの高圧側構成部品と冷蔵庫制御部ユニット（図示せず）を収容してあり、最下部の野菜室収納容積の拡大を図っている。
【００２８】
また冷凍サイクルの低圧側を構成する冷却器９は冷凍室５の後方に配置し、冷却ファン１０によって冷却器９で生成された冷気を強制送風して各貯蔵室２〜６を冷却するようになっている。
【００２９】
前記各貯蔵室２〜６はそれぞれに対応して設けた扉１１，１２，１３，１４，１５によって開閉されるようになっており、この各扉１１〜１５は手かけ部１６を有するとともに、冷蔵庫本体１と同様硬質ウレタンフォーム１ｃを外表面の金属材料と内表面のＡＢＳなどの樹脂材料とで密閉された内部に充填発泡させて構成してある。さらに、外表面の一部に樹脂材料で構成された基板収納部と基板カバーの内部に操作ユニットが配置されている。ＲＦＩＤタグを樹脂材でカバーするので、金属による送電影響を防ぐことが出来る。
【００３０】
なお、扉は外表面を金属でなくガラス材で構成しガラス内部に操作ユニットを密着配置しても金属材による電波の影響を防止できる。
【００３１】
そしてこれら各扉１１〜１５にはこれに対応して扉開閉検出手段（構造を説明する図では図示せず）が設けてあり、その開閉回数と累計開成時間データが冷蔵庫制御部で処理されるようになっている。
【００３２】
ここで、この実施の形態の冷蔵庫は最上部に位置する冷蔵室２の扉は左右面積の異なる２枚の扉１１ａ、１１ｂからなる観音開き式扉としてあり、これらの左右の扉１１ａ、１１ｂの突き合わせ面部分が最も手前側に突出した凸形状としてある。そしてこの凸部分となる例えば右側扉１１ｂの端部には上下方向にわたって操作ユニット１８が設けてあり、この操作ユニット１８への給電や制御信号送信のための直流配線が施してあって、交流配線は当該右側扉１１ｂに配することなく左側扉１１ａに施してある。なお、上記右側扉１１ｂは自動扉開閉機構１７によって扉表面を軽く押すだけで開く構成としてあり、図示しない扉開閉検出手段でその開閉が検出されるように構成してある。
【００３３】
上記の操作ユニット１８には図３に示すように各貯蔵室２〜６の温度設定等を行う静電タッチ式の設定スイッチ１９、及び設定スイッチ１９の上方に配置した設定状態表示部２
０とともに、この冷蔵庫では扉開閉回数あるいは扉開成累計時間等のデータを出力送信するデータ送信部２１が設けてある。このデータ送信部２１は冷蔵庫本体１の下端より９００ｍｍ以上、１５００ｍｍ以下の高さ範囲の中に設けてあり、図１に示すように使用者が携帯電話、スマートフォンやＰＤＡ等の携帯端末２２を接近させるとそのデータを携帯端末２２の表示部（図１では図示せず）に表示するように構成して、扉開閉表示手段を構成している。
【００３４】
以下、その扉開閉回数等のデータを携帯端末２２の表示部に表示させる扉開閉表示手段を図５、図６を用いて説明する。図５は冷蔵庫の冷蔵庫制御部と携帯端末の携帯制御部を示す制御ブロック図、図６は同制御を説明するフローチャートである。
【００３５】
図５において、２５は前記した扉開閉検出手段、２６は前記扉開閉検出手段２５で検出した扉開閉回数をカウントする回数カウント部、２７は２４時間時計、２８は前記２４時間時計からの時刻出力に基づいて複数の時間帯に区分けする時間帯区分け部で、この実施の形態では例えば朝食、昼食、夕食、就寝時の４つの時間帯に区分して表示するようにしてある。例えば朝食は６：００〜１１：００、昼食は１１：００〜１６：００、夕食は１６：００から２３：００、就寝時は２３：００から６：００で設定してあるが、これは一例であってその時間は変更可能であり、特に使用者が設定できるようにしておけば使い勝手の向上が図れる。２９は前記回数カウント部２６でカウントした回数を記憶する回数記憶部で、前記時間帯区分け部２８からの出力に基づき回数カウント部２６からの回数を各時間帯ごとに記憶していくように構成してある。３０は前日データ書き換え部であり、２４時間時計２７からの時刻出力に基づき２４時間経過後の各時間帯ごとに前記回数記憶部２９で記憶している扉開閉回数を書き換えるものである。３０Ａは前記前日回数データ書き換え部３０の書き換えデータを記憶保持する前日データ保持部である。そして２１が前述したデータ送信部で、扉開閉回数データの出力部となるもので、アンテナ部２１Ａを一体化したＩＣチップ等で構成してある。このデータ送信部２１は前記回数記憶部２９からの扉開閉回数データと前記前日データ保持部３０Ａからの前日の扉開閉回数データを各時間帯ごとに表示するようになっている。
【００３６】
３１は近距離通信検出部で、携帯電話、スマートフォンやＰＤＡ等の携帯端末２２が接近してデータ要求するとこれを検出するものでありデータ要求を検出するとデータ送信部２１に給電してこれを動作させるようになっている。したがって、前記データ送信部２１は携帯端末２２が接近してデータ要求すると近距離通信検出部３１によって動作状態となり、上記回数記憶部２９が記憶している最新の扉開閉回数のデータをアンテナ２１Ａより外部に送信することになる。
【００３７】
一方、携帯端末２２はこの実施の形態では一般的な携帯電話を用いており、周知の如く近距離通信を行う第１通信部３２とそのアンテナ３３及び通話およびインターネット通信用の第２通信部３４とそのアンテナ３４Ａ、これらの通信部を制御する第１、第２通信制御部３５，３６、表示制御部３７等からなる携帯制御部３８、液晶ディスプレイ等の表示部３９、タッチスイッチ等の操作部４０、記憶部４１等からなる。そして、この携帯端末２２は操作部４０の操作によって第１通信制御部３５による近距離通信に切り替えると、データ要求信号を相手方に送信して相手方からのデータを受信可能にするとともに、表示制御部３７が表示部３９の表示を切り替えて第１通信部３２により受信したデータを表示部３９に表示させる、すなわち第１通信部３２のアンテナ３３を冷蔵庫のデータ送信部２１に近づけることによってデータ送信部２１からの扉開閉回数等のデータを受信し、表示部３９に表示することができる。
【００３８】
なお、上記携帯端末２２とデータ送信部２１との近距離通信手段としては種々のものがあり、赤外線通信、無線ＬＡＮ、Ｂｌｕｅｔｏｏｔｈ（登録商標）等のいずれのものであ
ってもよいが、市販の携帯電話やスマートフォン等の使用を考慮して、当該携帯電話やスマートフォン同士で電話番号等のデータのやり取りを行う近距離通信手段とするのが好ましく、本実施の形態ではこの近距離通信方式を採用している。
【００３９】
上記構成において、以下その動作を図７の制御フローを用いながら説明する。まず、使用者が貯蔵物の出し入れのために冷蔵庫の扉、例えば冷蔵室２の右側扉１１ｂを開成すると、ステップ１において、扉開閉検出手段２５が、扉開閉を検出し回数カウント部２６に信号Ｓ１を出力する。回数カウント部２６はステップ２で信号Ｓ１にカウント数を＋１し、回数記憶部２９に出力する。その際回数カウント部２６は時間帯区分け部２８からの時間帯判別信号に基づき、ステップ３で時間帯を判別し、ステップ４にてその時間帯の回数、すなわち前記＋１した回数Ｓ２を記憶する。そしてステップ５において、近距離通信検出部３１がデータ要求されているか否かを確認し、要求がなければステップ６で１日（２４ｈ）が経過したかを確認して、経過していなければステップ１にもどるとともに、経過すればステップ７にてそれまで記憶していた扉開閉回数をリセットし、ステップ１に戻る。
【００４０】
このような状態で使用者が携帯端末２２のアンテナ３３部分を冷蔵庫扉のデータ送信部２１に近づけデータ要求信号を送信する（ステップ８）と、近距離通信検出部３１がステップ５でこれを検出しデータ送信部２１が動作を開始し、データ送信部２１がステップ９で回数記憶部２９に記憶している当該時間の扉開閉回数を取得し、ステップ１０においてそのデータを送信する。例えば携帯端末２２を近づけたときの時間帯が朝食時間帯であれば、朝食時間帯が始まってからの当日の扉開閉回数と前日の扉開閉回数を取得し、そのデータを送信する。これにより携帯端末２２はステップ１１でそのデータを受信し、ステップ１２においてそのデータを表示部３９に表示する。
【００４１】
したがって、使用者はこの表示部３９を見ることによって食事時間帯の扉開閉回数を知ることができ、その回数が多い時には以降の扉開閉回数を少なくしようと気をつけて節電が促進されることになる。特にこの表示部３９に表示されるのは時間帯ごと、例えば朝食時間帯であれば朝食時間帯の回数が表示されて、当該朝食時間帯の回数を正確に把握できるから、使用者としてはこの朝食時間帯の扉開閉回数が多いのか少ないのかを的確に知ることができる。しかもその回数は前日と比較して知ることができる。すなわち当日と前日の同時間帯の回数が表示されるので、使用者は同時間帯の増減を前日と比較して正確に把握することができ、効果的である。
【００４２】
また、扉開閉回数を携帯端末側に表示するので、冷蔵庫側では扉開閉表示のための表示装置を廃止するか、或いは表示装置を設けていても、扉開閉回数等が所定回数に達したときにこれを報知する程度の啓蒙を行うだけでよくなって、冷蔵庫自体の消費電力を抑えることができる。特に、この実施の形態では冷蔵庫側の扉開閉回数等を報知する表示装置は廃止して、使用者に扉開閉回数を知らせるための表示電力を必要としないようにしたから、その分更に節電でき、冷蔵庫の省エネルギー化が向上する。
【００４３】
さらにこの実施の形態では冷蔵庫側に近距離通信検出部３１を設けて当該近距離通信検出部３１がデータ要求されていることを検出した場合のみデータ送信部２１に給電してデータを送信するようにしているので、データ要求がない時にデータ送信部２１が電力を消費することもなく、その分さらなる省エネルギー化が図れる。
【００４４】
加えてこの実施の形態では、携帯端末２２の第２通信部３４を介してインターネット回線を利用し、例えば会社のパソコンで扉開閉回数を表示させて確認することができ、家にいる子供やお爺さん等の家族に連絡して扉開閉を減らすように注意を喚起することもできる。
【００４５】
なお、この実施の形態の冷蔵庫では、データ送信部２１は扉表面の最凸部に設けてあるから、携帯端末２２をデータ送信部２１により接近または接触させることができて確実な通信性能が確保可能になるとともに、データ送信部２１周縁の扉外装を携帯端末で傷つけることもなく、長期間にわたって扉外装の美観を良好に維持できる。
【００４６】
また、上記データ送信部２１は冷蔵庫最上位となる貯蔵室２の扉、すなわち、複数ある貯蔵室のうち最上部の扉に設けてあるから、下部に位置する扉に設けた場合のような障害、すなわち、データ送信部２１を設けた扉より上の扉を開けた時に漏れ落ちてくる冷気がデータ送信部２１に触れてその表面に結露が生じ、通信状態の劣化や部品信頼性の低下等の障害を引き起こすことがない。
【００４７】
加えて、上記データ送信部２１は複数ある貯蔵室のうちの冷蔵室２に対応する扉に設けてあり、この冷蔵室２は製氷室３や冷凍室５よりも庫内温度が高いので庫内冷気による影響を少なく抑えることができる。したがって、データ送信部２１の表面と内部の温度差は小さく抑えられ、結露が発生するのを抑制することができ、通信状態の劣化や部品信頼性の低下等の障害を少なくすることができる。
【００４８】
更に、上記データ送信部２１は右側扉１１ｂの端部に設けた操作ユニット１８に組み込んであり、使用者が日常的に行う扉への掲示物の張りつけが扉中央部分にあってもこれがデータ送信部２１表面にかぶさる等して通信障害を引き起こす恐れも少なく、確実な通信性能の確保が図れる。
【００４９】
また、上記データ送信部２１は観音開き式の扉とした貯蔵室２の面積の大きな右側扉１１ｂに設けてあり、データ送信部２１の庫内冷気による障害の発生をより少なくすることができる。すなわち、使用者には比較的右利きの人が多く、右側扉１１ｂはこの右利きの使用者が開閉する頻度が高くなるが、この右側扉１１ｂが開いて庫内の冷気が漏れ出した場合、この冷気は右側扉１１ｂとは反対側の左側扉１１ａの表面に拡散する可能性が高く、漏れ出した冷気から見て裏側となる右側扉１１ｂの表面側（データ送信部２１の設置側）まで廻り込む可能性は非常に少ない。したがって、この右側扉１１ｂに設けられているデータ送信部２１に冷気が触れる可能性はほとんどなくなり、その表面に結露が生じることなどで生じる通信状態の劣化や部品信頼性の低下等の障害を抑制することができる。これは面積の大きな扉を開いたときほど多くの冷気が漏れ出すので効果的である。
【００５０】
また、データ送信部２１を設けた扉には直流配線のみで交流配線を設けていないので、交流配線から発生するノイズでデータ送信部２１の送信に支障をきたすようなことがなく、より正確かつ確実な通信性能を確保できる。
【００５１】
加えて、データ送信部２１を設けた貯蔵室２の右側扉１１ｂはこれに対応して自動扉開閉機構１７を設けてあり、しかもデータ送信部は手かけ部１６から離れた位置であって、当該手かけ部１６よりも上方の位置に配置してあるから、濡れ手でドアに触ってもこの濡れ手の水が扉に付着する量は少なく、かつデータ送信部から離れているから、この水によってデータ受信部が濡れたりすることがなく、通信状態の劣化や部品信頼性の低下等の障害をより少なくすることができる。
【００５２】
（実施の形態２）
図７は実施の形態２を示し、この実施の形態２は扉開閉表示手段４３を冷蔵庫本体１の扉１１ｂに設けたもので、回数記憶部２９からの扉開閉回数データと前日データ保持部からの前日の扉開閉回数データを各時間帯ごとに表示するように構成してある。
【００５３】
したがって、この実施の形態２においても先の実施の形態１と同様、使用者はこの扉開閉表示手段４３を見ることによって時間帯ごと、例えば朝食時間帯であれば朝食時間帯の回数を前日の回数とともに知ることができ、その回数が多い時には以降の扉開閉回数を少なくしようと気をつけて節電が促進されることになる。
【００５４】
以上のようにこの実施の形態で説明した冷蔵庫は扉開閉回数の表示が適切にできて省エネルギー化が推進できるものであるが、上記実施の形態で説明したものは本発明を実現する一形態であり、本発明の目的達成範囲内であれば種々変更可能である。
【００５５】
例えば、上記実施の形態においては節電啓蒙のために使用者に提供するデータを扉開閉回数としたが、これは扉開成累計時間であっても、またその両方であってもよいものである。
【００５６】
また、時間帯区分け部２８は朝食（６時〜１２時）、昼食（１２時〜１８時）、夕食（１８時〜２４時）、就寝時（２４時〜６時）の４つの時間帯に区分して表示する構成としたが、これは昼間と夜間の二つの時間帯にしてもよく、またこれらの各時間帯に更に就寝時間帯を追加して区分けするようにしてもよく、いずれの場合も各時間帯における扉開閉回数等を的確に知ることができ、節電効果をより効果的に発揮させることができる。特に、就寝時間帯を区分けして表示するようにしたものは就寝中の時間帯に扉開閉が多いなどの分析が可能になり、家族に対する扉開閉回数等の低減喚起が可能になって、より節電効果を高めることができる。
【００５７】
また、データ送信部２１は送信機能のみの場合で説明したが、受信機能を持つ送受信部として、例えば携帯端末２２側からデータ送信部２１に設定温度データを送信して庫内温度を設定できるようにしたり、冷蔵庫制御部からの扉開閉回数データ等を配線ではなく近距離無線通信で受け取るようにするなどの展開が考えられる。
【００５８】
更に、送受信機能を有する送受信部とした場合は、扉に設けた送受信部に対応させて冷蔵庫本体側に送受信部を設け、扉が開かれると冷蔵庫本体側の送受信部がこれを検出する構成、すなわち扉の送受信部が扉開閉検出手段を兼用する構成としてもよく、これによって構成の簡素化が図れる。そして、扉開閉検出手段も全部の扉に対応して設けるのが好ましいものの、適宜、例えば開閉頻度の高い一つもしくは幾つかの扉に設けるなどしてもよいものである。
【産業上の利用可能性】
【００５９】
以上のように本発明の冷蔵庫は、使用者が生活パターンに合わせて時間帯ごとに扉開閉回数等を知ることができ、よって扉開閉回数等を少なくしようとする意識が効果的に作用して節電を図ることが大きく期待でき、省エネルギーな冷蔵庫となる。
【符号の説明】
【００６０】
１  冷蔵庫本体
２，３，４，５，６  貯蔵室
２  冷蔵室
７  機械室
８  圧縮機
９  冷却器
１０  冷却ファン
１１，１２，１３，１４，１５  扉
１６  手かけ部
１７  自動扉開閉機構
１８  操作ユニット
１９  設定スイッチ
２０  設定状態表示部
２１  データ送信部
２１Ａ  アンテナ
２２  携帯端末
２５  扉開閉検出手段
２６  回数カウント部
２７  ２４時間時計
２８  時間帯区分け部
２９  回数記憶部
３０  前日回数データ書き換え部
３０Ａ  前日データ保持部
３１  近距離通信検出部
３２  第１通信部
３３，３４Ａ  アンテナ
３４  第２通信部
３５  第１通信制御部
３６  第２通信制御部
３７  表示制御部
３８  携帯制御部
３９  表示部
４０  操作部
４１  記憶部
４３  扉開閉表示手段
【図１】
2013190130.tif 000003
【図２】
2013190130.tif 000004
【図３】
2013190130.tif 000005
【図４】
2013190130.tif 000006
【図５】
2013190130.tif 000007
【図６】
2013190130.tif 000008
【図７】
2013190130.tif 000009
【図８】
2013190130.tif 000010